(57)【要約】【課題】設定された表示時間と、表示装置にコンテンツデータが表示される時間とを一致させることが可能な表示システム、表示装置、表示制御プログラム及び表示制御方法を提供することを目的としている。【解決手段】表示装置と、前記表示装置と通信可能な情報端末と、を含む表示システムであって、前記情報端末は、選択されたコンテンツデータと、前記選択されたコンテンツデータの再生を制御する再生制御情報とを前記表示装置へ送信する送信部を有し、前記表示装置は、前記コンテンツデータを前記表示装置に対応した表示用データに変換する画像処理部と、前記コンテンツデータが前記表示用データに変換された後に、前記再生制御情報に含まれる前記表示用データの表示時間のカウントを開始する制御部と、を有する。【選択図】図５
2015055827.tif 000002
【特許請求の範囲】
【請求項１】
表示装置と、前記表示装置と通信可能な情報端末と、を含む表示システムであって、
前記情報端末は、
選択されたコンテンツデータと、前記選択されたコンテンツデータの再生を制御する再生制御情報とを前記表示装置へ送信する送信部を有し、
前記表示装置は、
前記コンテンツデータを前記表示装置に対応した表示用データに変換する画像処理部と、
前記コンテンツデータが前記表示用データに変換された後に、前記再生制御情報に含まれる前記表示用データの表示時間のカウントを開始する制御部と、を有することを特徴とする表示システム。
【請求項２】
表示装置と、プログラムと、を含む表示システムであって、
前記プログラムは、前記表示装置と通信可能な情報端末に、
選択されたコンテンツデータと、前記選択されたコンテンツデータの再生を制御する再生制御情報とを前記表示装置へ送信する送信手順を
実行させ、
前記表示装置は、
前記コンテンツデータを前記表示装置に対応した表示用データに変換する画像処理部と、
前記コンテンツデータが前記表示用データに変換された後に、前記再生制御情報に含まれる前記表示用データの表示時間のカウントを開始する制御部と、を有することを特徴とする表示システム。
【請求項３】
情報端末と通信可能であり、コンテンツデータを再生する表示装置であって、
前記情報端末において選択されたコンテンツデータと、前記選択されたコンテンツデータの再生を制御する再生制御情報とを受信する受信部と、
前記コンテンツデータを前記表示装置に対応した表示用データに変換する画像処理部と、
前記コンテンツデータが前記表示用データに変換された後に、前記再生制御情報に含まれる前記表示用データの表示時間のカウントを開始する制御部と、を有することを特徴とする表示装置。
【請求項４】
前記画像処理部は、
前記表示用データを記憶部に格納し、
前記制御部は、
前記記憶部から前記表示用データを取得した時、前記表示時間のカウントを開始することを特徴とする請求項３記載の表示装置。
【請求項５】
前記画像処理部は、
前記表示用データが表示されている間に、次に表示される前記コンテンツデータを表示用データに変換することを特徴とする請求項３又は４記載の表示装置。
【請求項６】
情報端末と通信可能であり、コンテンツデータを表示する表示装置において実行される表示制御プログラムであって、
前記表示装置に、
前記情報端末において選択されたコンテンツデータと、前記選択されたコンテンツデータの再生を制御する再生制御情報とを受信する受信手順と、
前記コンテンツデータを前記表示装置に対応した表示用データに変換する画像処理手順と、
前記コンテンツデータが前記表示用データに変換された後に、前記再生制御情報に含まれる前記表示用データの表示時間のカウントを開始する制御手順と、を実行させることを特徴とする表示制御プログラム。
【請求項７】
情報端末と通信可能であり、コンテンツデータを表示する表示装置による表示制御方法であって、
前記情報端末において選択されたコンテンツデータと、前記選択されたコンテンツデータの再生を制御する再生制御情報とを受信する受信手順と、
前記コンテンツデータを前記表示装置に対応した表示用データに変換する画像処理手順と、
前記コンテンツデータが前記表示用データに変換された後に、前記再生制御情報に含まれる前記表示用データの表示時間のカウントを開始する制御手順と、を有することを特徴とする表示制御方法。
【発明の詳細な説明】
【技術分野】
【０００１】
本発明は、コンテンツデータを表示する表示システム、表示装置、表示制御プログラム及び表示制御方法に関する。
【背景技術】
【０００２】
従来では、表示装置において、複数のコンテンツデータを設定された表示時間毎に切り替えて表示させるスライドショーと呼ばれる技術が知られている。
【０００３】
従来のスライドショーでは、コンテンツデータの切り替えに係る時間を制御することで、任意の時間でスライドショーの再生を行う技術が知られている（特許文献１）。
【発明の概要】
【発明が解決しようとする課題】
【０００４】
上記従来の技術では、コンテンツデータの切り替えに係る時間については考慮されているが、例えばコンテンツデータを表示装置で表示可能なデータに変換する画像処理に係る時間は考慮されていない。
【０００５】
画像処理に係る時間を考慮しない場合、ユーザが設定した表示時間に画像処理に係る時間が含まれることになり、ユーザが設定した表示時間と、実際に表示装置にコンテンツデータが表示される時間とが異なるものとなる。
【０００６】
本発明は、上記事情を鑑みてこれを解決すべくなされたものであり、設定された表示時間と、表示装置にコンテンツデータが表示される時間とを一致させることが可能な表示システム、表示装置、表示制御プログラム及び表示制御方法を提供することを目的としている。
【課題を解決するための手段】
【０００７】
本発明は、上記目的を達成すべく、以下の如き構成を採用した。
【０００８】
本発明は、表示装置と、前記表示装置と通信可能な情報端末と、を含む表示システムであって、前記情報端末は、選択されたコンテンツデータと、前記選択されたコンテンツデータの再生を制御する再生制御情報とを前記表示装置へ送信する送信部を有し、前記表示装置は、前記コンテンツデータを前記表示装置に対応した表示用データに変換する画像処理部と、前記コンテンツデータが前記表示用データに変換された後に、前記再生制御情報に含まれる前記表示用データの表示時間のカウントを開始する制御部と、を有する。
【発明の効果】
【０００９】
本発明によれば、設定された表示時間と、表示装置にコンテンツデータが表示される時間とを一致させることができる。
【図面の簡単な説明】
【００１０】
【図１】第一の実施形態の表示システムのシステム構成の一例を示す図である。
【図２】第一の実施形態の表示システムの利用シーンの一例を説明する図である。
【図３】第一の実施形態の表示装置のハードウェア構成の一例を示す図である。
【図４】第一の実施形態の表示装置の機能構成を説明する図である。
【図５】第一の実施形態の表示システムの動作を説明するフローチャートである。
【図６】第一の実施形態の表示時間と実表示時間との一致について説明する図である。
【図７】第二の実施形態の表示システムの動作を説明するフローチャートである。
【図８】第二の実施形態の表示時間と画像処理に係る時間について説明する図である。
【発明を実施するための形態】
【００１１】
本発明は、コンテンツデータを表示装置により表示可能なデータとする画像処理が終了した後に、設定された表示時間のカウントを開始する。
【００１２】
（第一の実施形態）
以下に図面を参照して本発明り第一の実施形態について説明する。以下に図面を参照して本発明の第一の実施形態について説明する。図１は、第一の実施形態の表示システムのシステム構成の一例を示す図である。
【００１３】
本実施形態の表示システム１００は、情報端末２００と表示装置３００とを有し、情報端末２００と表示装置３００とはネットワーク等のデータ伝送路Ｎを介して接続される。
【００１４】
本実施形態の情報端末２００は、例えば３Ｇ（3rd Generation）,ＬＴＥ（Long Term Evolution），４Ｇ（4th Generation）の規格に準ずる通信方式による通信を行っても良い。また本実施形態の情報端末２００は、例えばＺｉｇＢｅｅやＢｌｕｅｔｏｏｔｈ（登録商標）等に準ずる通信方式よる通信を行っても良い。
【００１５】
本実施形態の情報端末２００は、例えばスマートフォンや携帯電話等の無線通信端末であっても良い。また本実施形態の情報端末２００は、例えばタブレットＰＣ（Personal Computer）やノート型ＰＣであっても良い。本実施形態の情報端末２００は、表示装置３００と通信を行えるものであれば良い。
【００１６】
本実施形態の情報端末２００は、再生制御プログラム２１０がインストールされている。本実施形態の情報端末２００は、再生制御プログラム２１０を実行して表示装置３００に表示させるコンテンツデータの再生制御情報を生成し、コンテンツデータと再生制御情報とを表示装置３００へ送信する。
【００１７】
本実施形態の再生制御情報は、例えばコンテンツデータの表示順、各コンテンツデータの表示時間、各コンテンツデータが格納された場所を示す情報及び表示するコンテンツデータを切り替える際の切り替え方を示す情報を含む。
【００１８】
本実施形態の表示装置３００は、表示制御プログラム３１０がインストールされている。本実施形態の表示装置３００は、表示制御プログラム３１０を実行することで、情報端末２００から送信されたコンテンツデータを再生制御情報に基づき表示させる。
【００１９】
本実施形態の表示装置３００は、情報端末２００から送信された再生制御情報に基づきコンテンツデータを表示させることが可能な表示機能を有していれば良い。具体的には本実施形態の表示装置３００は、例えばプロジェクタやディスプレイ等である。
【００２０】
以下の本実施形態の説明では、表示装置３００が再生制御情報にしたがってコンテンツデータを表示させることを、コンテンツデータを再生する、と表現する。
【００２１】
また本実施形態のコンテンツデータとは、例えば画像データや動画データ等である。コンテンツデータとなる画像データは、例えば１枚の画像の画像データであっても良いし、複数枚の画像の画像データであっても良い。本実施形態のコンテンツデータは、表示装置３００に表示させることが可能なデータであれば良い。
【００２２】
以下の本実施形態の説明では、表示装置３００で再生されるコンテンツデータを再生コンテンツデータと呼び、それ以外の例えば所定の記憶領域に格納されているコンテンツデータを単にコンテンツデータと呼ぶ。本実施形態の再生コンテンツデータは、情報端末２００において、表示装置３００における表示対象として選択されたコンテンツデータである。本実施形態の再生コンテンツデータは、複数のコンテンツデータを含んでも良いし、１つのコンテンツデータであっても良い。
【００２３】
以下に図２を参照して本実施形態の表示システム１００の利用シーンについて説明する。図２は、第一の実施形態の表示システムの利用シーンの一例を説明する図である。
【００２４】
図２の例では、情報端末２００をスマートフォン又はタブレットＰＣとし、表示装置３００をプロジェクタ３０１とスクリーン３０２を含む構成とし、表示システム１００を例えば電子看板（Digital Signage）に用いた場合を示している。
【００２５】
本実施形態の情報端末２００は、ユーザにより再生コンテンツデータの再生の仕方が設定されると、この設定に基づき再生コンテンツデータの再生制御情報を生成する。そして情報端末２００は、再生コンテンツデータと再生制御情報とをプロジェクタ３０１へ送信する。プロジェクタ３０１は、受信した再生コンテンツデータを記憶部に保存し、再生制御情報にしたがって再生コンテンツデータを再生する。
【００２６】
本実施形態の表示システム１００では、ユーザは、１度再生コンテンツデータと再生制御情報を表示装置３００に送信すれば、所望の設定通りに再生コンテンツデータを継続して再生することができる。
【００２７】
すなわち本実施形態の表示システム１００を電子看板等に適用した場合、自動的にユーザが望むようにコンテンツデータが再生されるため、ユーザはコンテンツデータの表示順や表示の切り替え等をその都度設定する手間を省くことができる。
【００２８】
また本実施形態の表示装置３００は、コンテンツデータを表示装置で表示可能なデータに変換する画像処理が終了した後に、再生制御情報に設定されたコンテンツデータの表示時間のカウントを開始する。本実施形態の表示装置３００は、この構成により設定された表示時間と、表示装置３００にコンテンツデータが表示される時間とを一致させることができる。
【００２９】
以下に本実施形態の表示装置３００について説明する。図３は、第一の実施形態の表示装置のハードウェア構成の一例を示す図である。
【００３０】
本実施形態の表示装置３００は、それぞれバスＢ２で相互に接続されているＣＰＵ３１、記憶部３２、入力部３３、外部インターフェイス部３４、ネットワーク制御部３５、表示部３６、ドライバ３７を有する。
【００３１】
ＣＰＵ３１は、表示装置３００の各種動作を制御する。記憶部３２は、表示装置３００の動作や演算に係る各種情報や、表示装置３００で実行される各種プログラム、表示装置３００で再生されるコンテンツデータ等が格納される。入力部３３は、各種信号や情報を入力するために用いられる。入力部３３は、例えば表示装置３００を操作する操作部材等である。
【００３２】
本実施形態の外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けたコンテンツデータを表示させる。
【００３３】
本実施形態の表示制御プログラム３１０は、表示装置３００を制御する各種プログラムの少なくとも一部である。表示制御プログラム３１０は例えば記録媒体３８の配布やネットワークからのダウンロードなどによって提供される。また表示制御プログラム３１０を記録した記録媒体３８がドライバ３７にセットされると、表示制御プログラム３１０は記録媒体３８からドライバ３７を介して記憶部３２にインストールされる。ネットワークからダウンロードされた表示制御プログラム３１０は、ネットワーク制御部３５を介して記憶部３２にインストールされる。
【００３４】
記憶部３２は、インストールされた表示制御プログラム３１０を格納すると共に、必要なファイル，データ等を格納する。ＣＰＵ３１は記憶部３２に格納された表示制御プログラム３１０に従って、後述するような各部の処理を実現している。
【００３５】
図４は、第一の実施形態の表示装置の機能構成を説明する図である。
【００３６】
本実施形態の表示装置３００のＣＰＵ３１は、読込部３１１、表示時間設定部３１２、タイマ制御部３１３、切替制御部３１４を有する。また本実施形態の表示装置３００は、画像処理部３２０と、メモリ３２１とを有する。また本実施形態の表示装置３００の表示部３６は、制御部３６１を有する。
【００３７】
本実施形態の読込部３１１は、例えば情報端末２００から受信し、記憶部３２に格納された再生コンテンツデータと、再生制御情報とを読み込む。
【００３８】
表示時間設定部３１２は、再生制御情報に含まれる各コンテンツデータの表示時間を取得し、ＣＰＵ３１の有するタイマ（図示せず）に取得した表示時間を設定する。表示時間の詳細は後述する。尚、各コンテンツデータとは、再生コンテンツデータにコンテンツデータを示す。
【００３９】
タイマ制御部３１３は、制御部３６１からの指示に基づきタイマに設定された表示時間のカウントを開始する。切替制御部３１４は、タイマ制御部３１３により表示時間のカウントが完了したか否かを判断し、カウントが完了した後にコンテンツデータの表示を切り替える。
【００４０】
本実施形態の画像処理部３２０は、読込部３１１が読み込んだコンテンツデータを表示部３６により表示可能なデータへ変換する画像処理を行う。本実施形態の画像処理部３２０は、例えばＡＳＩＣ（Application Specific Integrated Circuit）等であっても良い。画像処理部３２０は、画像処理を施した変換後のデータをメモリ３２１へ格納する。本実施形態では、画像処理部３２０による画像処理が施されたコンテンツデータを表示用データと呼ぶ。
【００４１】
具体的には例えば、表示装置３００がプロジェクタであった場合には、表示部３６は、表示させるコンテンツデータと対応する制御データに基づき発光素子の点灯／消灯を制御して、画像を投影させる。したがって本実施形態の画像処理部３２０は、コンテンツデータを発光素子の点灯／消灯を制御する制御データに変換する処理を行う。また例えば、表示装置３００が液晶ディスプレイ等であった場合には、画像処理部３２０は、コンテンツデータを液晶ディスプレイに表示可能な画像データに変換する画像処理を行う。
【００４２】
本実施形態のメモリ３２１は、例えば記憶部３２の一部であっても良い。本実施形態のメモリ３２１には、画像処理部３２０から出力される表示用データが一時的に格納される。
【００４３】
尚、図４の例では、画像処理部３２０とメモリ３２１はＣＰＵ３１の外部に設けられるものとしたが、これに限定されない。画像処理部３２０とメモリ３２１は、ＣＰＵ３１の一部であっても良い。また画像処理部３２０のみがＣＰＵ３１の一部であっても良い。
【００４４】
本実施形態の制御部３６１は、メモリ３２１から表示用データを読み出し、表示部３６に表示用データを表示させる。また本実施形態の制御部３６１は、表示用データをメモリ３２１から読み取った際に、タイマ制御部３１３にタイマのカウントの開始指示を行う。
【００４５】
以下に本実施形態における表示と再生について説明する。
【００４６】
本実施形態における表示とは、１つのコンテンツデータが表示部３６において視認可能に表示された状態を示している。また本実施形態における表示の開始とは、制御部３６１が表示用データを取得したときを示しており、表示の停止とは、表示部３６における表示用データの使用を停止するまでを示している。
【００４７】
本実施形態では、表示の開始から終了までの時間が、実際に表示装置３００にコンテンツデータが表示されている時間である。よって以下の説明では、表示の開始から終了までの時間を実表示時間と呼ぶ。
【００４８】
また、以下の説明では、再生制御情報に含まれるユーザにより設定された時間を単に表示時間と呼ぶ。
【００４９】
本実施形態の再生とは、再生コンテンツデータに含まれるコンテンツデータを再生制御情報に従い連続して表示させることを示す。また本実施形態における再生コンテンツデータの再生時間とは、表示順が最初のコンテンツデータの表示の開始から、表示順が最後のコンテンツデータの表示の終了までの時間を示す。
【００５０】
次に図５を参照して本実施形態の表示システム１００の動作を説明する。図５は、第一の実施形態の表示システムの動作を説明するフローチャートである。
【００５１】
本実施形態の表示システム１００において、情報端末２００は、ユーザにより再生制御情報に含まれる所定項目の設定の入力を受け付ける（ステップＳ５０１）。所定項目とは、例えばコンテンツデータの表示順や表示時間、コンテンツデータの表示の切り替え方法等を含む。
【００５２】
続いて表示装置３００は、情報端末２００において再生コンテンツデータの再生要求がなされると（ステップＳ５０２）、再生コンテンツデータの再生準備を行う（ステップＳ５０３）。再生準備とは、例えば表示装置３００が情報端末２００から再生制御情報と再生コンテンツデータとを受信し、再生制御情報と再生コンテンツデータとを記憶部３２へ格納することを含む。
【００５３】
続いて本実施形態の表示装置３００は、読込部３１１により、記憶部３２に格納された再生制御情報を読み込む。そして表示時間設定部３１２は、再生制御情報に含まれるコンテンツデータに設定された表示時間をタイマに設定する（ステップＳ５０４）。より具体的には表示時間設定部３１２は、再生コンテンツデータに含まれるコンテンツデータのうち、表示順が１番目のコンテンツデータの表示時間をタイマに設定する。
【００５４】
続いて読込部３１１は、記憶部３２に格納された再生コンテンツデータを読み込む（ステップＳ５０５）。より具体的には読込部３１１は、再生コンテンツデータに含まれるコンテンツデータのうち、表示順が１番目のコンテンツデータを読み込む。
【００５５】
続いて画像処理部３２０は、ステップＳ５０５で読み込んだコンテンツデータを伸張する（ステップＳ５０６）。続いて画像処理部３２０は、伸張後のコンテンツデータを表示部３６により表示可能なサイズへ変換する（ステップＳ５０７）。ステップＳ５０７の処理を施したコンテンツデータが、表示用データとなる。尚、本実施形態の画像処理部３２０は、コンテンツデータの伸張及びサイズ変換以外の処理を行っても良い。本実施形態の画像処理部３２０は、情報端末２００において選択されたコンテンツデータを表示部３６において使用可能な表示用データに変換する処理であれば、どのような処理を行っても良い。具体的には例えば、本実施形態の画像処理部３２０は、コンテンツデータの縮小、回転、画質変更、表示輝度変更及び台形補正のうち少なくとも１つを行っても良い。
【００５６】
本実施形態の画像処理部３２０は、コンテンツデータを表示用データとする処理を完了すると、表示用データをメモリ３２１へ格納する（ステップＳ５０８）。表示用データがメモリ３２１へ格納されると、表示部３６の制御部３６１は、表示用データをメモリ３２１から取得する（ステップＳ５０９）。本実施形態の制御部３６１は、このときタイマ制御部３１３へタイマのカウント開始の指示を行う。
【００５７】
続いてタイマ制御部３１３は、この指示を受けてステップＳ５０５で読み込んだコンテンツデータの表示時間が設定されたタイマのカウントを開始する（ステップＳ５１０）。また本実施形態の制御部３６１は、タイマのカウント開始と同時に表示用データを表示させる（ステップＳ５１１）。
【００５８】
続いてタイマ制御部３１３は、タイマのカウントが設定された表示時間に達したか否かを判断する（ステップＳ５１２）。ステップＳ５１２において表示時間に達していた場合、切替制御部３１４は、コンテンツデータの表示を終了し、後述するステップＳ５１３へ進む。ステップＳ５１２において表示時間に達していない場合、表示装置３００はステップＳ５１１へ戻り、表示時間に達するまで待機する。
【００５９】
ステップＳ５１２において、表示時間に達していた場合、読込部３１１は、ステップＳ５０５で読み込んだコンテンツデータが、再生コンテンツデータに含まれるコンテンツデータのうち表示順が最後のコンテンツデータか否かを判断する（ステップＳ５１３）。ステップＳ５１３において最後のコンテンツデータでない場合、表示装置３００は、ステップＳ５０４へ戻り、表示順が次のコンテンツデータについてステップＳ５０４以降の処理を行う。ステップＳ５１３において最後のコンテンツデータであった場合、表示装置３００は、再生コンテンツデータの再生を終了する。
【００６０】
以上のように本実施形態では、制御部３６１がメモリ３２１から表示用データを取得した時を表示の開始とし、表示の開始と同時にタイマによる表示時間のカウントを開始する。したがって本実施形態では、表示の開始と、表示時間のカウントの開始が同じタイミングとなる。また本実施形態では、タイマのカウントが表示時間に達すると、切替制御部３１４によりコンテンツデータの表示を終了して次のコンテンツデータの表示の切り替えを行う。したがって本実施形態では、表示の終了と、表示時間のカウントの終了が同じタイミングとなる。すなわち本実施形態では、表示時間に画像処理部３２０による画像処理に係る時間が含まれず、表示時間と実表示時間とを一致させることができる。
【００６１】
尚本実施形態では、表示装置３００は、情報端末２００からコンテンツデータを受信するものとしたが、これに限定されない。本実施形態の表示装置３００は、例えばネットワーク上のコンテンツ提供サーバ等からコンテンツデータを受信しても良い。また本実施形態の表示装置３００は、例えば表示装置３００と接続可能な外部メモリからコンテンツデータを取得しても良い。
【００６２】
以下に図６を参照して、表示時間と実表示時間との一致について説明する。図６は、第一の実施形態の表示時間と実表示時間との一致について説明する図である。図６（Ａ）は、画像処理部３２０による画像処理に係る時間が表示時間に含まれる場合を説明する図である。図６（Ｂ）は、画像処理部３２０による画像処理に係る時間を表示時間に含まない場合を説明する図である。
【００６３】
図６（Ａ）は、表示時間設定部３１２が再生制御情報からコンテンツデータの表示時間を取得してタイマに設定した時点から、タイマのカウントを開始した場合を示す。この場合、表示時間のカウントは、画像処理部３２０による画像処理の開始と同時に始まるため、表示時間ｔ１には画像処理に係る時間ｔ２が含まれる。よって表示部３６にコンテンツデータが表示される実表示時間は、ｔ１−ｔ２＝ｔ３となり、実表示時間ｔ３はユーザが設定した表示時間よりも短くなる。
【００６４】
図６（Ｂ）は、本実施形態を適用した例である。本実施形態では、画像処理部３２０による画像処理が終了し、制御部３６１が表示用データを取得したとき、すなわち表示部３６におけるコンテンツデータの表示が開始されたとき、表示時間が設定されたタイマのカウントを開始する。したがって図６（Ｂ）では、表示時間ｔ１＝実表示時間ｔ３′となり、ユーザが設定した時間と同じ時間コンテンツデータを表示させることができる。
【００６５】
例えば本実施形態の表示装置３００にコンテンツデータを表示させる度に、コンテンツデータの表示時間に応じた金額が情報端末２００のユーザに課金される場合について考える。
【００６６】
この場合、例えば図６（Ａ）の例では、ユーザが設定した表示時間ｔ１よりも実表示時間ｔ３が短いにも関わらず、表示時間に応じた金額が課金されることになり、ユーザにとって不利益が生じる。
【００６７】
これに対して図６（Ｂ）の例では、ユーザが設定した表示時間ｔ１と実表示時間ｔ３′とが一致しており、ユーザが所望した時間コンテンツデータを表示することができる。
【００６８】
尚本実施形態では、制御部３６１が表示用データを取得すると、タイマ制御部３１３に表示時間のカウントを開始させるものとしたが、これに限定されない。タイマ制御部３１３は、例えば画像処理部３２０が表示用データをメモリ３２１に出力したタイミングで、表示時間のカウントを開始しても良い。本実施形態のタイマ制御部３１３は、コンテンツデータが表示用データに変換された後に表示時間のカウントを開始すれば良い。
【００６９】
（第二の実施形態）
以下に図面を参照して本発明の第二の実施形態について説明する。本発明の第二の実施形態では、コンテンツデータを表示している間に次のコンテンツデータに対して画像処理を行う点のみ第一の実施形態と相違する。よって以下の第二の実施形態の説明では、第一の実施形態と同様の機能構成を有するものには第一の実施形態の説明で用いた符号と同様の符号を付与し、その説明を省略する。
【００７０】
以下に図６を参照して本実施形態の概要について説明する。
【００７１】
図６（Ａ）では、表示時間ｔ１に画像処理に係る時間ｔ２が含まれるが、再生コンテンツデータの再生時間Ｔ１は、再生コンテンツデータに含まれるコンテンツデータの数×表示時間となる。
【００７２】
これに対して図６（Ｂ）では、表示時間ｔ１に画像処理に係る時間ｔ２が含まれないため、再生コンテンツデータの再生時間Ｔ２は、再生コンテンツデータに含まれるコンテンツデータの数×（表示時間ｔ１＋画像処理に係る時間ｔ２）となる。
【００７３】
すなわち図６（Ｂ）の例では、再生時間Ｔ２にコンテンツデータの表示時間以外に画像処理に係る時間が含まれるため、コンテンツデータの表示時間に基づく再生時間Ｔ２の設定を行うことが難しくなる。尚、図６の例では、再生コンテンツデータに含まれる各コンテンツデータの表示時間を全て同一とした。
【００７４】
以下の本実施形態では、コンテンツデータを表示している間に次のコンテンツデータに対して画像処理を行うことにより、表示時間と実表示時間とを一致させ、且つコンテンツデータの表示時間に基づき再生コンテンツデータの再生時間を設定できるようにした。
【００７５】
図７は、第二の実施形態の表示システムの動作を説明するフローチャートである。
【００７６】
図７のステップＳ７０１からステップＳ７１１までの処理は、図５のステップＳ５０１からステップＳ５１１までの処理と同様であるから、説明を省略する。
【００７７】
ステップＳ７１１において表示部３６にコンテンツデータが表示されると、制御部３６１は読込部３１１に次のコンテンツデータの読み込みを指示する。読込部３１１は、この指示を受けて再生コンテンツデータのうち、表示順がステップＳ７１１で表示されたコンテンツデータの次のコンテンツデータを読み込む（ステップＳ７１２）。読込部３１１は、読み込んだコンテンツデータを画像処理部３２０へ出力する。図７のステップＳ７１３とステップＳ７１４は、ステップＳ７０６とステップＳ７０７の処理と同様であるから説明を省略する。
【００７８】
続いて切替制御部３１４は、タイマがステップＳ７１０でカウントを開始した表示時間に達したか否かを判断する（ステップＳ７１５）。ステップＳ７１５において表示時間に達していない場合、ステップＳ７１１へ戻る。ステップＳ７１５において表示時間に達した場合、ステップＳ７１６へ進む。
【００７９】
ステップＳ７１５において、表示時間に達していた場合、読込部３１１は、ステップＳ７０５で読み込んだコンテンツデータが、再生コンテンツデータに含まれるコンテンツデータのうち表示順が最後のコンテンツデータか否かを判断する（ステップＳ７１６）。
【００８０】
ステップＳ７１６において最後のコンテンツデータであった場合、表示装置３００は、再生コンテンツデータの再生を終了する。
【００８１】
ステップＳ７１６において最後のコンテンツデータでない場合、表示時間設定部３１２は、ステップＳ７１２で読み込んだコンテンツデータに対して設定された表示時間をタイマに設定する（ステップＳ７１７）。続いてタイマ制御部３１３は、タイマに設定された表示時間のカウントを開始し（ステップＳ７１８）、ステップＳ７１１へ戻る。このときステップＳ７１１で表示されるコンテンツデータは、ステップＳ７１２で読み込まれたコンテンツデータである。
【００８２】
以上のように本実施形態では、コンテンツデータの表示中に次のコンテンツデータの画像処理を行い、コンテンツデータの表示が終了したタイミングで、画像処理が施された次のコンテンツデータに設定された表示時間のカウントと表示を開始する。すなわち本実施形態では、コンテンツデータの表示と、次に表示されるコンテンツデータの画像処理を並行して行うため、表示時間と実表示時間とを一致させ、且つコンテンツデータの表示時間に基づき再生コンテンツデータの再生時間を設定できる。
【００８３】
以下に図８を参照して本実施形態の表示時間と画像処理に係る時間について説明する。図８は、第二の実施形態の表示時間と画像処理に係る時間について説明する図である。
【００８４】
本実施形態では、再生コンテンツデータに含まれるコンテンツデータのうち、表示順が２番目以降のコンテンツデータの画像処理に係る時間ｔ２は、コンテンツデータの表示時間に含まれる。また本実施形態では、表示順が１番目のコンテンツデータを表示する際は、画像処理が終了してから表示時間が設定されたタイマのカウントを開始する。
【００８５】
よって本実施形態では、表示時間と実表示時間とを一致させることができる。
【００８６】
また本実施形態の再生時間Ｔ４において、コンテンツデータの数×表示時間以外に含まれる時間は、表示順が１番目のコンテンツデータに対する画像処理に係る時間ｔ２′のみである。画像処理に係る時間ｔ２′は、再生時間Ｔ４に比べた場合に無視できる程度に十分短い時間である場合が多い。
【００８７】
よって本実施形態では、コンテンツデータの表示時間に基づき再生コンテンツデータの再生時間を設定することができる。
【００８８】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００８９】
１００  表示システム
２００  情報端末
２１０  再生制御プログラム
３００  表示装置
３１０  表示制御プログラム
３１１  読込部
３１２  表示時間設定部
３１３  タイマ制御部
３１４  切替制御部
３２０  画像処理部
３２１  メモリ
【先行技術文献】
【特許文献】
【００９０】
【特許文献１】特開２００９−３８８２６号公報
【図１】
2015055827.tif 000003
【図２】
2015055827.tif 000004
【図３】
2015055827.tif 000005
【図４】
2015055827.tif 000006
【図５】
2015055827.tif 000007
【図６】
2015055827.tif 000008
【図７】
2015055827.tif 000009
【図８】
2015055827.tif 000010